(57)【特許請求の範囲】
【請求項１】
コンデンサ(２)を収納する箱体(１)を備えた電装品ユニットにおいて、
上記箱体(１)の内側の対向する両側壁に開口側から底部(１a)に向かって設けられ、上記コンデンサ(２)の一端が固定されたコンデンサ固定板(４)の対向する２辺の両縁部を案内する案内溝(１１,１２)と、
上記コンデンサ(２)の外形に合わせた形状で上記箱体(１)の底部(１a)に立設され、上記案内溝(１１,１２)により上記コンデンサ固定板(４)の両縁部が案内された状態で上記コンデンサ(２)を下から支持するコンデンサ支持部(３８)と、
上記箱体(１)の底部(１a)に上記両案内溝(１１,１２)から所定の間隔をあけて立設され、上記コンデンサ支持部(３８)により下から支持された上記コンデンサ(２)の他端を保持するコンデンサ保持部(３)とを有し、
上記箱体(１)と上記案内溝(１１,１２)と上記コンデンサ支持部(３８)と上記コンデンサ保持部(３)とを合成樹脂により一体成形したことを特徴とする電装品ユニット。
【請求項２】
コンデンサ(２)を収納する箱体(１)を備えた電装品ユニットにおいて、
上記箱体(１)の底部(１a)に立設され、上記コンデンサ(２)の一端を押さえるための立ち上げ押圧部(３０)と、
上記コンデンサ(２)の外形に合わせた形状で上記箱体(１)の底部(１a)に立設され、上記コンデンサ(２)を下から支持するコンデンサ支持部(３８)と、
上記箱体(１)の底部(１a)に上記立ち上げ押圧部(３０)から所定の間隔をあけて立設され、上記コンデンサ(２)の他端を保持するコンデンサ保持部(３)とを有し、
上記箱体(１)と上記立ち上げ押圧部(３０)と上記コンデンサ支持部(３８)と上記コンデンサ保持部(３)とを合成樹脂により一体成形したものであって、
上記コンデンサ保持部(３)は、上記コンデンサ(２)の他端を保持するための穴(３７)を有し、
上記コンデンサ保持部(３)は、上記コンデンサ(２)の他端を保持するとき、上記コンデンサ(２)の他端が上記穴(３７)に挿入可能な形状に弾性変形し、上記コンデンサ(２)の他端が上記穴(３７)に挿入されると、上記コンデンサ(２)の他端を保持する形状に戻ることを特徴とする電装品ユニット。
【請求項３】
請求項１に記載の電装品ユニットにおいて、
上記コンデンサ保持部(３)は、上記コンデンサ(２)の他端を保持するための穴(３７)を有し、
上記コンデンサ保持部(３)は、上記コンデンサ(２)の他端を保持するとき、上記コンデンサ(２)の他端が上記穴(３７)に挿入可能な形状に弾性変形し、上記コンデンサ(２)の他端が上記穴(３７)に挿入されると、上記コンデンサ(２)の他端を保持する形状に戻ることを特徴とする電装品ユニット。
【発明の詳細な説明】
【０００１】
【発明の属する技術分野】
この発明は、コンデンサ等の電装品を収納する箱体を備えた電装品ユニットに関する。
【０００２】
【従来の技術】
従来、電装品ユニットとしては、図４の模式図に示すように、箱体４０内に固定部材４１を用いてコンデンサ４２を固定するものがある。この電装品ユニットでは、固定部材４１は、２つの円筒部４１a,４１bとその円筒部４１a,４１bを連結する連結部４１cとを有し、各円筒部４１a,４１b内にコンデンサ４２,４２を挿入して保持し、ねじ４３により固定部材４１を箱体４０に固定している。
【０００３】
【発明が解決しようとする課題】
ところで、上記電装品ユニットでは、箱体４０とは別部材である固定部材４１を用いてコンデンサ４２,４２を保持して、その固定部材４１を箱体４０にねじ４３により固定しているため、部品点数が多くなると共に、組み立て作業工程が増えるという欠点がある。
【０００４】
そこで、この発明の目的は、保持用の部材を別に用いることなく、コンデンサを容易に箱体に固定でき、組み立ての作業性を向上できる電装品ユニットを提供することにある。
【０００５】
【課題を解決するための手段】
上記目的を達成するため、請求項１の電装品ユニットは、コンデンサを収納する箱体を備えた電装品ユニットにおいて、上記箱体の内側の対向する両側壁に開口側から底部に向かって設けられ、上記コンデンサの一端が固定されたコンデンサ固定板の対向する２辺の両縁部を案内する案内溝と、上記コンデンサの外形に合わせた形状で上記箱体の底部に立設され、上記案内溝により上記コンデンサ固定板の両縁部が案内された状態で上記コンデンサを下から支持するコンデンサ支持部と、上記箱体の底部に上記両案内溝から所定の間隔をあけて立設され、上記コンデンサ支持部により下から支持された上記コンデンサの他端を保持するコンデンサ保持部とを有し、上記箱体と上記案内溝と上記コンデンサ支持部と上記コンデンサ保持部とを合成樹脂により一体成形したことを特徴としている。
【０００６】
上記請求項１の電装品ユニットによれば、上記コンデンサの一端が固定されたコンデンサ固定板の対向する２辺の両縁部を上記案内溝により案内し、上記案内溝によりコンデンサ固定板の両縁部が案内された状態で上記コンデンサ支持部によりコンデンサを下から支持し、上記コンデンサ支持部により下から支持されたコンデンサの他端を上記コンデンサ保持部により保持することによって、コンデンサを箱体に固定する。上記箱体の内側の対向する両側壁に開口側から底部に向かって設けられた案内溝と、上記箱体の底部に両案内溝から所定の間隔をあけて立設されたコンデンサ支持部とコンデンサ保持部とを箱体と共に合成樹脂により一体成形しているので、コンデンサ保持用の部材を別に用いることなく、コンデンサを容易に箱体に固定でき、組み立ての作業性を向上できる。
【０００７】
また、請求項２の電装品ユニットは、コンデンサを収納する箱体を備えた電装品ユニットにおいて、上記箱体の底部に立設され、上記コンデンサの一端を押さえるための立ち上げ押圧部と、上記コンデンサの外形に合わせた形状で上記箱体の底部に立設され、上記コンデンサを下から支持するコンデンサ支持部と、上記箱体の底部に上記立ち上げ押圧部から所定の間隔をあけて立設され、上記コンデンサの他端を保持するコンデンサ保持部とを有し、上記箱体と上記立ち上げ押圧部と上記コンデンサ支持部と上記コンデンサ保持部とを合成樹脂により一体成形したものであって、上記コンデンサ保持部は、上記コンデンサの他端を保持するための穴を有し、上記コンデンサ保持部は、上記コンデンサの他端を保持するとき、上記コンデンサの他端が上記穴に挿入可能な形状に弾性変形し、上記コンデンサの他端が上記穴に挿入されると、上記コンデンサの他端を保持する形状に戻ることを特徴としている。
【０００８】
上記請求項２の電装品ユニットによれば、上記立ち上げ押圧部により上記コンデンサの一端を押さえる一方、そのコンデンサの他端を上記コンデンサ支持部とコンデンサ保持部により保持することによって、コンデンサを箱体に固定して収納する。上記箱体の底部に立設された立ち上げ押圧部と、上記箱体の底部に立ち上げ押圧部から所定の間隔をあけて立設されたコンデンサ支持部とコンデンサ保持部とを箱体と共に合成樹脂により一体成形するので、コンデンサ保持用の部材を別に用いることなく、コンデンサを容易に箱体に固定でき、組み立ての作業性を向上できる。また、上記コンデンサ保持部は、コンデンサの他端を保持するとき、コンデンサの他端がコンデンサ保持部の穴に挿入可能な形状に弾性変形し、コンデンサの他端が上記穴に挿入されると、コンデンサの他端を保持する形状に戻ることにより、ねじ等の別部材を用いることなく、コンデンサの他端をコンデンサ保持部により容易に保持できる。
【０００９】
また、請求項３の電装品ユニットは、請求項１の電装品ユニットにおいて、上記コンデンサ保持部は、上記コンデンサの他端を保持するための穴を有し、上記コンデンサ保持部は、上記コンデンサの他端を保持するとき、上記コンデンサの他端が上記穴に挿入可能な形状に弾性変形し、上記コンデンサの他端が上記穴に挿入されると、上記コンデンサの他端を保持する形状に戻ることを特徴としている。
【００１０】
上記請求項３の電装品ユニットによれば、上記コンデンサ保持部は、コンデンサの他端を保持するとき、コンデンサの他端がコンデンサ保持部の穴に挿入可能な形状に弾性変形し、コンデンサの他端が上記穴に挿入されると、コンデンサの他端を保持する形状に戻ることにより、ねじ等の別部材を用いることなく、コンデンサの他端をコンデンサ保持部により容易に保持できる。
【００１１】
【発明の実施の形態】
以下、この発明の電装品ユニットを図示の実施の形態により詳細に説明する。
【００１２】
（第１実施形態）
図１はこの発明の第１実施形態の電装品ユニットの要部の斜視図であり、１は箱体、２はコンデンサ固定板としての長方形状のプリント配線基板４に一端が固定された断面円形状の３つのコンデンサ、３は上記コンデンサ２の他端を夫々保持するコンデンサ保持部、３８はコンデンサ支持部である。上記コンデンサ保持部３は、箱体１の底部１aに連続する３つのアーチ形状を立設することにより形成されている。同様に上記コンデンサ支持部３８は、箱体１の底部１aに３つの半円形状を立設することにより形成されている。上記箱体１の対向する両側壁１b(図１では一方のみを示す)に開口１０から底部１aに向かって所定の間隔をあけて案内溝１１,１２を夫々設けている。上記案内溝１１,１２とコンデンサ保持部３とコンデンサ支持部３８とを箱体１と共に合成樹脂により一体成形している。そして、上記案内溝１１に沿って、コンデンサ２の一端が固定されたプリント配線基板４の対向する２辺の両縁部を案内して、コンデンサ２の他端をコンデンサ支持部３８とコンデンサ保持部３により保持する。
【００１３】
また、図２は上記コンデンサ保持部３の詳細を説明するための斜視図である。図２に示すように、箱体１の底部１aに所定の間隔をあけて４つの支柱３１,３２,３３,３４を立設し、隣接する支柱３１,３２,３３,３４を連結するアーチ形状部３５を設けて、コンデンサ挿入用の穴３７を形成している。このコンデンサ保持部３の各支柱３１,３２,３３,３４に薄肉部３１a,３２a,３３a,３４aを設け、コンデンサ２を挿入するときに、薄肉部３１a,３２a,３３a,３４aが弾性変形して、コンデンサ２の穴３７への挿入を容易にすると共に、挿入後は支柱３１,３２,３３,３４の弾性力により元の形状に復帰して、コンデンサ２の他端を保持する。なお、上記コンデンサ保持部３のアーチ形状部３５には、コンデンサ２の挿入時に、コンデンサ２を案内する穴３７毎にガイド部３６を設けている。
【００１４】
このように、上記案内溝１１とコンデンサ保持部３とを箱体１と共に合成樹脂により一体成形しているので、コンデンサ保持用の部材を別に用いることなく、コンデンサ２を容易に箱体１に固定でき、組み立ての作業性を向上することができる。
【００１５】
また、上記コンデンサ２の他端を保持するとき、コンデンサ２の他端がコンデンサ保持部３の穴３７に挿入可能な形状にコンデンサ保持部３が弾性変形し、コンデンサ２の他端が穴３７に挿入されると、コンデンサ保持部３がコンデンサ２の他端を保持する形状に戻るので、ねじ等の別部材や工具類を用いることなく、コンデンサ２の他端をコンデンサ保持部３により容易に保持することができる。
【００１６】
また、上記第１実施形態では、箱体１の両側壁１bに、案内溝１１と平行に所定の間隔をあけて案内溝１２を設けて、案内溝１１,１２を使い分けることによって、長さの異なる２種類のコンデンサを取り付け可能にしている。なお、上記案内溝は１または３以上であってもよい。
【００１７】
（第２実施形態）
図３はこの発明の第２実施形態の電装品ユニットの要部の斜視図であり、コンデンサ保持部とコンデンサ支持部は第１実施形態の電装品ユニットのコンデンサ保持部とコンデンサ支持部と同一である。
【００１８】
図３に示すように、箱体１(図１に示す)の底部１aに所定の間隔をあけて板状の３つの立ち上げ押圧部３０を立設している。上記箱体１とコンデンサ保持部３とコンデンサ支持部３８と立ち上げ押圧部３０とを合成樹脂により一体成形している。
【００１９】
上記コンデンサ２の一端を立ち上げ押圧部３０に押し当て、各コンデンサ２の他端をコンデンサ保持部３の穴３７に夫々挿入する。このとき、コンデンサ保持部３は、第１実施形態と同様、弾性変形して、コンデンサ３の穴３７への挿入を容易にすると共に、コンデンサ３の挿入後、コンデンサ保持部３は、元の形状に戻り、コンデンサ３を保持する。
【００２０】
上記第２実施形態の電装品ユニットは、第１実施形態の電装品ユニットと同様の効果を有している。
【００２１】
上記第１,第２実施形態では、３つのコンデンサ２を保持するコンデンサ保持部３を用いたが、コンデンサ保持部が保持するコンデンサの数は１または２でもよく、４以上であってもよい。また、上記コンデンサ保持部の構成はこれに限らず、コンデンサの一端を保持するものであればよい。
【００２２】
また、上記第１,第２実施形態では、断面円形状のコンデンサ２を箱体１に収納したが、コンデンサの形状はこれに限らず、断面四角形状のコンデンサ等でもよいのは勿論である。
【００２３】
【発明の効果】
以上より明らかなように、請求項１の発明の電装品ユニットによれば、箱体の内側の対向する両側壁に開口側から底部に向かって設けられた案内溝と、上記箱体の底部に両案内溝から所定の間隔をあけて立設されたコンデンサ保持部とコンデンサ支持部とを箱体と共に合成樹脂により一体成形しているので、コンデンサ保持用の部材を別に用いることなく、上記案内溝とコンデンサ保持部とコンデンサ支持部によりコンデンサを容易に箱体に固定でき、組み立ての作業性を向上することができる。
【００２４】
また、請求項２の発明の電装品ユニットによれば、箱体の底部に立設された立ち上げ押圧部と、上記箱体の底部に立ち上げ押圧部から所定の間隔をあけて立設されたコンデンサ保持部とコンデンサ支持部とを箱体と共に合成樹脂により一体成形するので、コンデンサ保持用の部材を別に用いることなく、上記立ち上げ押圧部とコンデンサ保持部とコンデンサ支持部によりコンデンサを容易に箱体に固定でき、組み立ての作業性を向上することができる。また、上記コンデンサ保持部は、上記コンデンサの他端を保持するための穴を有し、上記コンデンサの他端を保持するとき、上記コンデンサの他端がコンデンサ保持部の穴に挿入可能な形状にコンデンサ保持部が弾性変形し、上記コンデンサの他端が上記穴に挿入されると、コンデンサ保持部がコンデンサの他端を保持する形状に戻るので、ねじ等の別部材や工具類を用いることなく、コンデンサの他端をコンデンサ保持部により容易に保持できる。
【００２５】
また、請求項３の発明の電装品ユニットによれば、請求項１の電装品ユニットにおいて、上記コンデンサ保持部は、上記コンデンサの他端を保持するための穴を有し、上記コンデンサの他端を保持するとき、上記コンデンサの他端がコンデンサ保持部の穴に挿入可能な形状にコンデンサ保持部が弾性変形し、上記コンデンサの他端が上記穴に挿入されると、コンデンサ保持部がコンデンサの他端を保持する形状に戻るので、ねじ等の別部材や工具類を用いることなく、コンデンサの他端をコンデンサ保持部により容易に保持できる。
【図面の簡単な説明】
【図１】  図１はこの発明の第１実施形態の電装品ユニットの要部の斜視図である。
【図２】  図２は上記電装品ユニットのコンデンサ保持部の詳細を説明するための斜視図である。
【図３】  図３はこの発明の第２実施形態の電装品ユニットの要部の斜視図である。
【図４】  図４は従来の電装品ユニットの要部の模式図である。
【符号の説明】
１…箱体、
２…コンデンサ、
３…コンデンサ保持部、
３８…コンデンサ支持部、
４…プリント配線基板、
１１,１２…溝、
３０…立ち上げ押圧部。
【図１】
0003680255.tif 000002
【図２】
0003680255.tif 000003
【図３】
0003680255.tif 000004
【図４】
0003680255.tif 000005